(57)【要約】  一実施の形態では、地デジの６チャネルがタイムシフト録画対象チャネルとして指定され、このタイムシフト録画対象チャネルの放送コンテンツ（無料放送ダビング10コンテンツなど）のためのタイムシフト録画が、通常タイムシフト録画用ＨＤＤに対して設定される。また、ＢＳの１チャネルがプラスワンタイムシフト録画対象チャネルとして指定され、このプラスワンタイムシフト録画対象チャネルの放送コンテンツ（有料放送コピーワンスコンテンツなど）のためのプラスワンタイムシフト録画が、プラスワンタイムシフト録画用ＨＤＤに対して追加設定される。ここで、前記第１タイムシフト録画を行う第1の時間帯と、前記第２タイムシフト録画を行う第２の時間帯は、別々に設定可能に構成される。
2015045006.tif 000002
【特許請求の範囲】
【請求項１】
終日または所定の放送時間帯において指定された１以上の放送チャネルで放送される１以上の放送コンテンツを使用記録媒体に入る範囲で丸ごと録画し、録画されたコンテンツの少なくとも一部を任意に再生可能にすることをタイムシフト録画とする場合に、
第１の放送チャネルを第１タイムシフト録画対象チャネルとして指定し、この第１タイムシフト録画対象チャネルの第１放送コンテンツのための第１タイムシフト録画を第１の記録部に対して設定し、
第２の放送チャネルを第２タイムシフト録画対象チャネルとして指定し、この第２タイムシフト録画対象チャネルの第２放送コンテンツのための第２タイムシフト録画を第２の記録部に対して追加設定する方法において、
前記第１タイムシフト録画を行う第1の時間帯と、前記第２タイムシフト録画を行う第２の時間帯を、別々に設定可能に構成した
タイムシフト録画のための制御方法。
【請求項２】
前記第２の時間帯が、前記第1の時間帯と一致するようにユーザ設定可能な請求項１に記載の制御方法。
【請求項３】
前記第２の時間帯が、前記第1の時間帯と不一致であるか、不一致の時間帯を含むようにユーザ設定可能な請求項１に記載の制御方法。
【請求項４】
前記第１の放送チャネルが１以上の地上デジタル放送チャネルを含み、前記第２の放送チャネルが、衛星デジタル放送、通信デジタル放送、および地上デジタル放送のうちの少なくとも１つの放送チャネルを含む請求項１に記載の制御方法。
【請求項５】
終日または所定の放送時間帯において指定された１以上の放送チャネルで放送される１以上の放送コンテンツを使用記録媒体に入る範囲で丸ごと録画し、録画されたコンテンツの少なくとも一部を任意に再生可能にすることをタイムシフト録画とする場合に、第１の放送チャネルを受信する第1チューナと、第２の放送チャネルを受信する第２チューナを利用して、前記タイムシフト録画を行う電子機器であって、
前記第１の放送チャネルを第１タイムシフト録画対象チャネルとして指定し、この第１タイムシフト録画対象チャネルの第１放送コンテンツのための第１タイムシフト録画を第１の記録部に対して設定する第１モジュールと、
前記第２の放送チャネルを第２タイムシフト録画対象チャネルとして指定し、この第２タイムシフト録画対象チャネルの第２放送コンテンツのための第２タイムシフト録画を第２の記録部に対して追加設定する第１モジュールを備え、
前記第１タイムシフト録画を行う第1の時間帯と、前記第２タイムシフト録画を行う第２の時間帯を、別々に設定可能に構成した
タイムシフト録画のための電子機器。
【請求項６】
前記第２の時間帯が、前記第1の時間帯と一致するようにユーザ設定可能な請求項５に記載の電子機器。
【請求項７】
前記第２の時間帯が、前記第1の時間帯と不一致であるか、不一致の時間帯を含むようにユーザ設定可能な請求項５に記載の電子機器。
【請求項８】
前記第１の放送チャネルが１以上の地上デジタル放送チャネルを含み、前記第２の放送チャネルが、衛星デジタル放送、通信デジタル放送、および地上デジタル放送のうちの少なくとも１つの放送チャネルを含む請求項５に記載の電子機器。
【請求項９】
終日または所定の放送時間帯において指定された１以上の放送チャネルで放送される１以上の放送コンテンツを使用記録媒体に入る範囲で丸ごと録画し、録画されたコンテンツの少なくとも一部を任意に再生可能にすることをタイムシフト録画とする場合に、
第１の放送チャネルを第１タイムシフト録画対象チャネルとして指定し、この第１タイムシフト録画対象チャネルの第１放送コンテンツのための第１タイムシフト録画を第１の記録部に対して設定し、
第２の放送チャネルを第２タイムシフト録画対象チャネルとして指定し、この第２タイムシフト録画対象チャネルの第２放送コンテンツのための第２タイムシフト録画を第２の記録部に対して追加設定する方法において、
前記第１タイムシフト録画を行う第1の時間帯と、前記第２タイムシフト録画を行う第２の時間帯が、別々に設定可能に構成され、
前記第２の時間帯の設定状態が表示される
タイムシフト録画のための表示方法。
【発明の詳細な説明】
【技術分野】
【０００１】
この発明の実施形態は、タイムシフト録画のための制御方法、表示方法および電子機器に関する。
【背景技術】
【０００２】
デジタル放送の多局化に伴い、ユーザには何時どの放送チャネルでどんな番組が放送されたのかが把握し辛くなっている。これに対処する方法の１つとして、タイムシフト録画がある。タイムシフト録画では、終日（２４時間）または１日の所定の放送時間帯（例えばユーザが外出中あるいは就寝中の時間帯）において、多数の放送チャネルで放送される多数の放送番組を使用記録媒体に入る範囲で丸ごと（番組表と同じ番組の区切り方で）録画できる。そして、ユーザは、気が向いたときにタイムシフト録画された多数の番組群からユーザの好みに合いそうな番組を任意にピックアップして自由に再生し視聴できる。もし、この視聴で気に入った番組が見つかったときは、その番組を保存用の記録媒体へダビング（またはムーブ）できる。また、その番組が今後も放送される見込みの番組であれば、その番組の将来放送に対して、タイムシフト録画とは別に、通常録画予約をしておくことができる。【０００３】
従来のタイムシフト録画では、例えば地上デジタル放送のうち６チャネル分の放送コンテンツを電子番組表（ＥＰＧ）と同じ番組区切りで数日分〜数週間分丸ごと録画し、後にユーザがタイムシフト録画した番組群の過去番組表から所望の番組を任意に再生できるようになっている。しかし、現在では地上デジタル放送以外に衛星（ＢＳ）デジタル放送および通信（ＣＳ）デジタル放送による膨大な数のチャネルが視聴可能となっている。ＢＳ／ＣＳデジタル放送もタイムシフト録画の対象に含めると、既存の地上デジタル放送のタイムシフト録画用記録媒体（通常は数テラバイトのＨＤＤ）だけでは容量不足になる。【０００４】
この容量不足に対しては、例えばＵＳＢインターフェースを利用した外付けＨＤＤの増設で対処できる。しかし、ＢＳ／ＣＳデジタル放送には地上デジタル放送とは異なる特性があり、単に外付けＨＤＤを増設しただけでは、タイムシフト録画された番組の管理が複雑化しあるいは再生操作が煩雑化して、利便性が損なわれる。【０００５】
地上デジタル放送とは異なるＢＳ／ＣＳデジタル放送の特性としては、無料放送と有料放送の混在、ダビング回数の制約、チャネル毎の専門性などがある。すなわち、ＢＳ／ＣＳデジタル放送には、契約の有無に応じて視聴可能かどうかが管理される有料放送番組が多く含まれ、それらの番組にはダビング許容回数や同時録画可能数などに関して地上デジタル放送番組より厳しい制約が課せられている。例えば、地上デジタル放送番組では最初の録画番組から９回ダビング（コピー）できるが、ＢＳ／ＣＳデジタル放送の有料番組ではダビング不可でありムーブ（コピー後にコピー元のコンテンツが消去される）しかできない。また同じイベントＩＤの有料放送番組については、Ｂ−ＣＡＳ（BS Conditional Access System）カードが1枚の同一機器内では1番組しか同時録画ができず、タイムシフト録画と通常の予約録画が重なったときはどちらか一方しか録画できない。【０００６】
また、ＣＳデジタル放送では番組内容に専門性の高いチャネル（スポーツ専門チャネル、アニメ専門チャネル、映画専門チャネル、音楽専門チャネルなど）が多く含まれている。そのため、増設した外付けＵＳＢ−ＨＤＤによるＢＳ／ＣＳデジタル放送のタイムシフト録画では、チャネルの専門性に応じたタイムシフト録画番組のユーザフレンドリーな管理が難しくなっている。【０００７】
ここで、チャネルの専門性に応じたタイムシフト録画番組の管理の一例を挙げると、例えばスポーツ専門チャネルなら、ゴルフ、テニス、野球などの競技毎の番組管理があり、さらに、同じゴルフでもお気に入りプレーヤ毎の番組管理やレッスン中心の番組管理がある。また、同じ映画専門チャネルといっても初めから洋画専門チャネル、邦画専門チャネルなどがあり、その中で、さらに監督毎あるいは出演俳優毎の管理もある。そして、専門チャネルでは、そのチャネルが扱う限られたジャンル内での番組数が（ジャンルを問わず色々な番組を放送するチャネルと比べて）非常に多くなるので、お気に入りの番組を見つけ出すまで手間取るようになる。【０００８】
このように、ＢＳ／ＣＳデジタル放送を含めたタイムシフト録画番組の管理は、地上デジタル放送だけを対象としたタイムシフト録画番組の管理よりも煩雑化しやすい。【０００９】
ユーザの利便性を改善するＥＰＧの表示方法については、種々な提案がなされている（特許文献１、２参照）。しかし、ＨＤＤを増設し、そのＨＤＤでＢＳ／ＣＳデジタル放送のタイムシフト録画もできるようにしたい場合、タイムシフト録画番組に関する管理（ＨＤＤをどのように増設しどのように利用するかなど）については、未開拓分野となっている。
【先行技術文献】
【特許文献】
【００１０】
【特許文献１】特開２００５−２０３９５５号公報
【特許文献２】特開２００９−  ７１３５７号公報
【発明の概要】
【発明が解決しようとする課題】
【００１１】
この発明に係る実施形態の課題の１つは、増設記録媒体（外付けＵＳＢ−ＨＤＤなど）を利用したタイムシフト録画に適した管理を実現することである。
【課題を解決するための手段】
【００１２】
一実施の形態では、第１の放送チャネル（例えば地デジの６チャネル分）が第１タイムシフト録画対象チャネルとして指定され、この第１タイムシフト録画対象チャネルの第１放送コンテンツ（無料放送ダビング10コンテンツなど）のための第１タイムシフト録画が、第１の記録部（通常タイムシフト録画用ＨＤＤ）に対して設定される。また、第２の放送チャネル（例えばＢＳの１チャネル分）が第２タイムシフト録画対象チャネルとして指定され、この第２タイムシフト録画対象チャネルの第２放送コンテンツ（有料放送コピーワンスコンテンツなど）のための第２タイムシフト録画が、第２の記録部（プラスワンタイムシフト録画用ＨＤＤ）に対して追加設定される。ここで、前記第１タイムシフト録画を行う第1の時間帯と、前記第２タイムシフト録画を行う第２の時間帯が、別々に設定可能に構成される。
【図面の簡単な説明】
【００１３】
【図１】図１は、一実施の形態に係るタイムシフト録画のための電子機器（デジタルテレビジョン放送受信装置）の構成を説明する図である。
【図２】図２は、プラスワンタイムシフト録画用ＨＤＤの登録処理の一例を説明するフローチャートである。
【図３】図３は、プラスワンタイムシフト録画の対象チャネルを選択する場合の一例を説明する図である。
【図４】図４は、プラスワンタイムシフト録画の録画時間帯を独自設定する場合の一例を説明する図である。
【図５】図５は、通常の予約録画とタイムシフト録画またはプラスワンタイムシフト録画がどのように行われるかの一例を説明するフローチャートである。
【図６】図６は、有料放送のプラスワンタイムシフト録画が通常の予約録画と重複した場合に、プラスワンタイムシフト録画が一時停止される場合のアラート例を説明する図である。
【図７】図７は、タイムシフト録画およびプラスワンタイムシフト録画される放送番組のコンテンツの管理表の一例を説明する図である。
【図８】図８は、プラスワンタイムシフト録画番組またはタイムシフト録画番組の再生処理の一例を説明するフローチャートである。
【図９】図９は、プラスワンタイムシフト録画した番組を含む過去番組表の一例を説明する図である。
【図１０】図１０は、過去番組表と、この過去番組表にあった番組に対応する録画リストとの関係の一例を説明する図である。
【図１１】図１１は、プラスワンタイムシフト録画番組（またはタイムシフト録画番組）を通常録画領域にダビング（コピーまたはムーブ）する処理の一例を説明するフローチャートである。
【発明を実施するための形態】
【００１４】
以下、実施の形態について図面を参照して説明する。図１は、一実施の形態に係るタイムシフト録画のための電子機器の具体例として、デジタルテレビジョン放送受信装置４１の構成を示す。
【００１５】
ＢＳ／１１０度ＣＳデジタル放送受信用のアンテナ４３で受信したＢＳ／ＣＳデジタルテレビジョン放送信号は、入力端子４４を介してＢＳ／ＣＳデジタル放送用のチューナ４５に供給され、所望のチャンネルの放送信号が選局される。ＢＳ／ＣＳチューナ４５で選局された放送信号は、ＰＳＫ（Phase Shift Keying）復調器４６に供給されて、デジタルの映像信号及び音声信号に復調された後、信号処理部４７に出力される。
【００１６】
ここではＢＳ／ＣＳチューナ４５を１つしか図示していないが、複数のＢＳ／ＣＳデジタル放送用チューナを備えていても良い。また、後述するＩＥＥＥ１３９４端子などを利用して外部デジタルチューナを接続し、利用可能なチューナリソースの数を増やすこともできる。
【００１７】
地上デジタル放送受信用のアンテナ４８で受信した地上デジタルテレビジョン放送信号は、入力端子４９を介して、１以上（例えば６以上）の地上デジタル放送用のチューナ５０−１〜５０−ｎに供給され、1以上の所望のチャンネルの放送信号が選局される。チューナ５０−１〜５０−ｎで選局された放送信号は、それぞれＯＦＤＭ（Orthogonal Frequency Division Multiplexing）復調器５１−１〜５１−ｎに供給され、デジタルの映像信号及び音声信号に復調された後、信号処理部４７に出力される。
【００１８】
ここで、信号処理部４７は、復調器４６から供給されたデジタル映像／音声信号と、復調器５１−１〜５１−ｎから供給されたデジタル映像／音声信号と、さらに外部ライン入力端子からの映像信号及び音声信号に対して、選択的に所定のデジタル信号処理を施す。信号処理部４７で処理された映像信号及び音声信号は、それぞれ、グラフィック処理部５２及び音声処理部５３へ出力される。
【００１９】
グラフィック処理部５２は、信号処理部４７から供給されるデジタル映像信号に、ＯＳＤ（On Screen Display）信号生成部５４で生成されたＯＳＤ信号を重畳して出力する。さらに、このグラフィック処理部５２は、信号処理部４７の出力映像信号とＯＳＤ信号生成部５４の出力ＯＳＤ信号とを選択的に出力することができ、また、両出力の画像がそれぞれ別の表示画面領域を構成するように組み合わせて出力することもできる。
【００２０】
現在放送中の番組を含めこれから放送される複数チャネルの未来番組表（ＥＰＧ）およびタイムシフト録画した過去の番組表の電子表示画像は、ＯＳＤ信号生成部５４により生成できる。ここで、未来番組表には、現在およびこれから放送予定の番組群が番組単位で放送チャネル毎に時系列に沿って並んで表示される。また、過去番組表は、未来番組表と同様な表示形式を持ち、タイムシフト録画（またはプラスワンタイムシフト録画）された１以上の番組群を番組単位で放送チャネル毎に時系列に沿って並んで表示する。
【００２１】
グラフィック処理部５２から出力されたデジタルの映像信号は、映像処理部５５に供給される。この映像処理部５５は、入力されたデジタルの映像信号を、映像表示器５７で表示可能なフォーマットの映像信号に変換し、映像表示器５７に出力して映像表示させる。映像表示器５７は例えば1920x1080または3840x2160ピクセルの高精細液晶表示パネルで構成され、未来番組表、過去番組表、ユーザへの種々な案内表示は、この表示器５７上で行われる。
【００２２】
音声処理部５３は、入力されたデジタルの音声信号を、スピーカ５６で再生可能なフォーマットの音声信号に変換し、スピーカ５６に出力して音声再生させる。このスピーカ５６は、ユーザが後述するリモートコントローラの操作により種々な設定を行う際に、適宜、操作確定音を出すことができる。
【００２３】
図１のデジタルテレビジョン放送受信装置４１では、前述した各種の動作（ユーザによるリモートコントローラ操作も含む）が、制御部６１によって統括的に制御されている。制御部６１は、マイクロコンピュータ（ＭＰＵと略記）により構成できる。装置４１に設けられた操作部７１からユーザ操作情報を受けたとき、あるいはリモートコントローラ７２から送出されたユーザ操作情報が受光部７３を介して受信されたとき、制御部６１は、その操作内容が装置に反映されるように各部を統括して制御する。
【００２４】
リモートコントローラ７２は、ユーザ操作を制御部に伝えるための種々なキーを備えている。これらのキーには、地上デジタル放送を選択するＴｅＳキー、ＢＳデジタル放送を選択するＢＳキー、ＣＳデジタル放送を選択するＣＳキー、ユーザ操作を確定する決定（エンター）キー、決定キーを取り囲む４つのカーソルキー、青赤緑黄の色分けキーが含まれる。これらのキーにはさらに、未来番組表（ＥＰＧ）を呼び出す番組表キー、タイムシフト録画した過去の番組表を呼び出すタイムシフトキー、種々な設定操作に移るためのクイックキー、タイムシフト録画した番組群からユーザの好みにあう番組だけを満喫するための「ざんまいプレイ」キーなども含まれる。
【００２５】
1以上の外付けＨＤＤの使用目的（どのＨＤＤをタイムシフト録画あるいはプラスワンタイムシフト録画に用いるのかなど）は、クイックキーを押してから表示されるメニュー操作指定することができる。このメニュー操作については後述する。
【００２６】
制御部６１は、カードインターフェース（Ｉ／Ｆ）７５を介して、メモリカード７７が装着可能なカードホルダ７６に接続される。これによって、制御部６１は、カードホルダ７６に装着されたメモリカード７７と、カードＩ／Ｆ７５を介して情報の送受信を行なうことができる。制御部６１は、図示していないが、さらに別のカードＩ／Ｆを介して、第２のメモリカードが装着可能なカードホルダに接続されてもよい。
【００２７】
図１の装置４１には、周囲の明るさを検出する明るさセンサ７８が設けられていている。制御部６１は、明るさセンサ７８からの検出信号に基づいて映像処理部５５を制御することにより、映像表示部５７の明るさを自動調整する。
【００２８】
制御部６１は、通信Ｉ／Ｆ８１を介してＬＡＮ端子８２に接続されている。これにより、制御部６１は、ＬＡＮ端子８２に接続された外部機器（ＬＡＮ対応のＨＤＤなど）９２と、通信Ｉ／Ｆ８１を介して情報の送受信を行なうことができる。この場合、制御部６１は、ＤＨＣＰ（Dynamic Host Configuration Protocol）サーバ機能を有し、ＬＡＮ端子８２に接続されたＬＡＮ対応のＨＤＤ９２にＩＰ（Internet Protocol）アドレスを割り当てて制御する。制御部６１は、図示していないがさらに別の通信Ｉ／Ｆを介して第２のＬＡＮ端子に接続されてもよい。ＬＡＮ端子に接続できる外部機器としては、ＨＤＤの他に、ＤＴＣＰ−ＩＰ対応サーバ、ＤＴＣＰ−ＩＰ対応ＰＣ、ＤＴＣＰ−ＩＰ対応ＴＶなどがある。ＬＡＮ端子に接続された1以上のＬＡＮ対応ＨＤＤは、通常録画用および／またはタイムシフト録画用に使用できる。
【００２９】
制御部６１は、ＵＳＢ・Ｉ／Ｆ８３を介してＵＳＢ端子８４Ａ〜８４Ｃに接続されている。これにより、制御部６１は、ＵＳＢ端子８４Ａ〜８４Ｃに接続された各機器と、ＵＳＢ・Ｉ／Ｆ８３を介して情報の送受信を行なうことができる。例えば、ＵＳＢ端子８４Ａにはタイムシフト録画用ＨＤＤ９４Ａを接続でき、ＵＳＢ端子８４Ｂでタイムシフト録画用ＨＤＤ９４Ｂを増設できる。また、ＵＳＢ端子８４Ｃには、ＵＳＢハブ９３を介して、プラスワンタイムシフト録画用ＨＤＤ９４Ｃあるいは通常録画用のＵＳＢ−ＨＤＤ９４Ｄを、選択的に接続できる。プラスワンタイムシフト録画用ＨＤＤ９４Ｃの利用方法の詳細は後述するが、このＨＤＤ９４Ｃを利用してＢＣ／ＣＳデジタル放送用のプラスワンタイムシフト録画機能を追加することができる。
【００３０】
なお、装置４１は、制御部６１により動作制御される通常録画用（および／またはタイムシフト録画用）のＨＤＤ９１を内蔵することができる。
【００３１】
また、制御部６１は、ＩＥＥＥ１３９４・Ｉ／Ｆ８５を介してＩＥＥＥ１３９４端子８６に接続されている。これにより、制御部６１は、端子８６に接続された各機器と、Ｉ／Ｆ８５を介して情報の送受信を行なうことができる。
【００３２】
端子８６に接続される各機器としては、例えばセットトップボックス、デジタル放送チューナ、デジタル放送チューナ内蔵のデジタルレコーダ、などがある。セットトップボックスにより、地上デジタル放送、ＢＳ／ＣＳデジタル放送のほかに、ＩＰ（Internet Protocol）放送も受信可能となる。これらの機器は、視聴用あるいはＰＶＲ（Personal Video Recorder）用のチューナリソースとして利用できる。これらのチューナリソースは、タイムシフト録画および／またはプラスワンタイムシフト録画に利用することができる。
【００３３】
また上記制御部６１は、ＨＤＭＩ（High Definition Multimedia Interface）規格に合致したＨＤＭＩ・Ｉ/Ｆ ８５を介してＨＤＭＩ端子８８に接続された各機器と情報の送受信を行なうことができる。
【００３４】
制御部６１は、そのＭＰＵが実行する制御プログラム（ファームウエア）等を格納したＲＯＭ６１１、このＭＰＵの作業エリアを提供するワークＲＡＭ６１２、各種の設定情報及び制御情報等が格納される不揮発性メモリ６１３、通常録画予約やタイムシフト録画などにおいて参照する時間情報を提供するタイマ６１４等を具備している。ＲＯＭ６１１に格納される制御プログラムには、タイムシフト録画用およびプラスワンタイムシフト録画用のＨＤＤを設定する制御プログラム、タイムシフト録画およびプラスワンタイムシフト録画を実行する制御プログラム、タイムシフト録画およびプラスワンタイムシフト録画された番組の再生制御プログラムなどが含まれる。
【００３５】
図２は、プラスワンタイムシフト録画用ＨＤＤの登録処理の一例を説明するフローチャートである。図１の制御部６１は、装置４１の電源が入ると、ＵＳＢ端子８４Ａ〜８４Ｃに接続されているＵＳＢ−ＨＤＤを検知する（ＳＴ１０）。端子８４Ａおよび８４Ｂに接続されたＵＳＢ−ＨＤＤ（高速のＵＳＢ３．０対応）９４Ａおよび９４Ｂについては、タイムシフト録画用ＡおよびＢとして登録される（未だ初期化されていないＨＤＤの場合は初期化処理がなされてから登録される）。
【００３６】
端子８４Ｃに接続されたＵＳＢ−ＨＤＤについては、ハブを介して接続されているかどうかチェックされる（ＳＴ１２）。ハブ接続でない場合（ＳＴ１２のＮ）、端子８４Ｃに接続されたＵＳＢ−ＨＤＤは、例えば通常録画用として登録される。そのＵＳＢ−ＨＤＤが未だ通常録画用に初期化されていなければ初期化され（ＳＴ３０）、ハードディスク名が付与されて（ＳＴ３２）、録画先ＨＤＤとして設定される（ＳＴ３４）。こうして登録が終了すると、そのＵＳＢ−ＨＤＤの接続完了がユーザに通知され、現在放送中のオンエア画面表示に移行する（ＳＴ３８）。そのＵＳＢ−ＨＤＤが既に初期化済みであれば、ＳＴ３０〜ＳＴ３２の処理はスキップされて、そのＵＳＢ−ＨＤＤは通常録画用の録画先ＨＤＤとして設定される（ＳＴ３４）。
【００３７】
端子８４Ｃに接続されたＵＳＢ−ＨＤＤがハブ接続の場合（ＳＴ１２のＹ）、端子８４Ｃに接続されたＵＳＢ−ＨＤＤ（９４Ｃまたは９４Ｄ）はプラスワンタイムシフト録画用または通常録画用として利用できる。ユーザはそのＵＳＢ−ＨＤＤを通常録画用にするかプラスワンタイムシフト録画用にするかを選択できる（ＳＴ１４）。ハブ９３接続されたＵＳＢ−ＨＤＤ９４Ｄを通常録画用にすることをユーザが選択した場合は、そのＵＳＢ−ＨＤＤは通常録画用として登録される。その場合の処理はＳＴ３０〜ＳＴ３６と同様である。
【００３８】
ハブ９３接続されたＵＳＢ−ＨＤＤ９４Ｃをプラスワンタイムシフト録画用にすることをユーザが選択した場合は、そのＵＳＢ−ＨＤＤはプラスワンタイムシフト録画用として登録される。そのＵＳＢ−ＨＤＤが未だタイムシフト録画用に初期化されていなければ初期化され（ＳＴ１６）、初期化されたＵＳＢ−ＨＤＤ９４Ｃがプラスワンタイムシフト録画用としてＵＳＢ端子８４Ｃに登録される（ＳＴ２０）。
【００３９】
次に、プラスワンタイムシフト録画用として登録されたＵＳＢ−ＨＤＤ９４Ｃでタイムシフト録画すべき放送チャネルがＮチャネル分設定される。Ｎは１以上の整数である。ＵＳＢ−ＨＤＤ９４ＣがＵＳＢ２．０の比較的低速タイプのときは、Ｎは１つにする。ＵＳＢ−ＨＤＤ９４ＣがＵＳＢ３．０以上の高速タイプのときは、Ｎは２以上にできる。
【００４０】
図３は、図２のＳＴ２２において、プラスワンタイムシフト録画の対象チャネルを選択する場合の一例を説明する図である。この選択のための操作は、図１に例示されたリモートコントローラ７２の上下左右カーソルキーと決定キーを用いて行うことができる。ユーザは、まず、プラスワンタイムシフト録画をどの放送帯から選ぶかを決める。たとえばＢＳアイコンをカーソルキーで選択し決定キーを押すと、ＢＳデジタル放送が選択される。すると、ＢＳアイコンの下に選択可能なＢＳデジタル放送のチャネルがリストアップされる。リストアップされたＢＳデジタル放送のチャネルをカーソル操作で選び決定キーを押すと、そのチャネルがプラスワンタイムシフト録画用のチャネルとして選択される（Ｎ＝１の場合）。さらに別の放送チャネルにカーソルを移動させて再び決定キーを押すと、そのチャネルがプラスワンタイムシフト録画用の第２のチャネルとして選択される（Ｎ＝２の場合）。Ｎ＝２以上の場合は同様な操作を繰り返す。Ｎ＝２以上の場合は、プラスワンタイムシフト録画用の第２のチャネルを、ＣＳデジタル放送や地上デジタル放送から選択することも可能である。
【００４１】
以上のように構成することにより、タイムシフト録画対象の放送チャネルとして１以上の地上デジタル放送チャネル（例えば地デジの６チャネル）を設定できる。また、プラスワンタイムシフト録画対象の放送チャネルとして、衛星デジタル放送、通信デジタル放送、および地上デジタル放送のうちの少なくとも１つの放送チャネル（Ｎチャネル）を設定できる。
【００４２】
図２の説明に戻る。図３で説明したようなプラスワンタイムシフト録画の対象チャネル選択が済むと、プラスワンタイムシフト録画を行う時間帯の設定が行われる（ＳＴ２４）。この時間帯の設定方法には、複数の選択枝が用意されている。１つは全時間（終日２４時間）全てをプラスワンタイムシフト録画用に設定する場合であり、もう１つはタイムシフト録画用ＨＤＤ９４Ａまたは９４Ｂで既に設定されている時間帯と同じ時間帯をプラスワンタイムシフト録画用に設定する場合であり、もう１つはユーザが希望する任意の時間帯をプラスワンタイムシフト録画用に独自設定する場合である。これらの選択枝は、別のＨＤＤ（９４Ａまたは９４Ｂ）で既に設定されているタイムシフト録画時間帯とは独立した設定であるが、終日あるいは既に設定されている時間帯を利用した設定については、デフォルト設定にしてもよい（この場合はプラスワンタイムシフト録画用の時間設定が自動化される）。
【００４３】
図４は、図２のＳＴ２４において、プラスワンタイムシフト録画の録画時間帯を設定する場合の一例を説明する図である。ここでは、仮に、端子８４Ａのタイムシフト録画用ＵＳＢ−ＨＤＤ９４Ａは終日（２４時間全て）がタイムシフト録画用に設定されており、端子８４Ｂのタイムシフト録画用ＵＳＢ−ＨＤＤ９４Ｂが停止中(例えばそのＨＤＤの電源がオフまたはユーザからタイムシフト録画一時停止の指令を受けた状態）であり、端子８４Ｃのプラスワンタイムシフト録画用ＵＳＢ−ＨＤＤ９４Ｃでタイムシフト録画時間帯を任意に設定する場合を想定する。
【００４４】
この場合、端子８４ＣのタイムシフトマシンＣ（ＵＳＢ−ＨＤＤ９４Ｃを使用）がリモートコントローラ７２のカーソル操作と決定キーで選択される（２４０）。すると、端子８４ＣのＨＤＤ９４Ｃに対して選択可能なタイムシフト録画時間の設定メニューが画面表示される（２４１）。ここで、全時間の枠２４１ａが選択されると、終日（２４時間）のプラスワンタイムシフト録画が設定される。また、タイムシフトマシン指定時間の枠２４１ｂが選択されると、プラスワンタイムシフト録画時間帯を、端子８４ＡのＨＤＤ９４Ａと同じにするか、端子８４ＢのＨＤＤ９４Ｂと同じにするか（ＨＤＤ９４Ｂ）、独自設定にするかが選べるようになる。
【００４５】
ここで、独自設定がリモートコントローラ７２のカーソル操作と決定キーで選択されると、プラスワンタイムシフト録画用に独自設定できる時間の時間割が表示される（２４２）。この時間割中のフレーム２４２ａを１以上選択することにより、プラスワンタイムシフト録画を開始する時間と終了する時間を選択できる（ただし、例えば月曜早朝の数時間のシステムメンテナンス時間帯は、選択されないように黒塗り潰しなどで区別される）。選択された時間帯のフレーム群２４２ｂの色は、選択されたことが一目で分かるように、周囲の色から変えることができる（フレーム群２４２ｂ内の先頭フレームはプラスワンタイムシフト録画の開始時間に対応し、末尾フレームはプラスワンタイムシフト録画の終了時間に対応している）。
【００４６】
上記の独自設定では、タイムシフト録画を行う第1の時間帯と、プラスワンタイムシフト録画を行う第２の時間帯が、別々に設定可能となっている。具体的には、第２の時間帯（例えばＰＭ３：００〜ＰＭ１１：００または終日２４時間）が、第1の時間帯（例えばＰＭ３：００〜ＰＭ１１：００または終日２４時間）と一致するようにユーザ設定可能である。あるいは、第２の時間帯が、第1の時間帯（例えばＰＭ３：００〜ＰＭ１１：００）と不一致（例えばＰＭ１１：００〜ＡＭ３：００）であるか、不一致の時間帯（例えばＰＭ８：００〜ＡＭ０：００）を含むようにユーザ設定可能である。
【００４７】
図２の説明に戻る。図４で説明したようなプラスワンタイムシフト録画時間帯の独自設定（あるいはＨＤＤ９４Ａまたは９４Ｂで設定済みの時間帯に合わせた設定、もしくは終日の２４時間をカバーする全時間設定）が済むと、プラスワンタイムシフト録画の設定内容の確認画面が表示される（ＳＴ２６）。この画面表示により、ユーザは、ＢＳデジタル放送の１８１チャネルに対して独自設定した時間帯（例えばＰＭ３：００〜ＰＭ８：００）において、ＵＳＢ−ＨＤＤ９４Ｃを用いたプラスワンタイムシフト録画が行われることを、確認できる。もし、ＳＴ２６の表示中に訂正したい箇所が見つかれば、ＳＴ２２に戻って設定しなおせばよい。ＳＴ２６で表示された設定内容でよければ、ユーザは設定内容に同意する「はい」というアイコンを選んでリモートコントローラ７２の決定キーをおす。すると、ＨＤＤ９４Ｃを用いたプラスワンタイムシフト録画の設定が完了し、現在放送中のオンエア画面表示（ＳＴ３８）に移行する。
【００４８】
図５は、通常の予約録画とタイムシフト録画またはプラスワンタイムシフト録画がどのように行われるかの一例を説明するフローチャートである。ここでは、通常の予約録画における番組予約に先立って、図１のＨＤＤ９４Ｂおよび／または９４Ｂを用いたタイムシフト録画の設定（図２のＳＴ３４）および、図１のＨＤＤ９４Ｃを用いたプラスワンタイムシフト録画の設定（図２のＳＴ２２〜ＳＴ２６）が、既に行われているものとする。
【００４９】
ユーザは、図１のリモートコントローラ７２のカーソルキーと決定キーの操作により、図示しない未来番組表（ＥＰＧ）から、１以上の番組（これから放送される未来番組）の録画を予約する（ＳＴ１００）。この予約録画先としては、図１のＨＤＤ９１、９２、または９４Ｄを選択できる。この予約が完了すると、図１の装置４１は予約スタンバイ状態となる。
【００５０】
通常の予約録画の録画開始時間直前（例えば予約時間がＰＭ３：００〜ＰＭ４:５４であればＰＭ２：５５）になると（ＳＴ１０２のＹ）、図１の制御部６１は、これから予約録画する番組に関して、有料番組の予約重複の判定を行う。すなわち、これから予約録画する番組が有料かどうか、その番組と同じイベントＩＤの予約がタイムシフト録画番組中またはプラスワンタイムシフト録画番組中にあるかどうかが判定される（ＳＴ１０４）。もし、これから予約録画する番組が無料であるか、有料であってもその番組と同じイベントＩＤの予約がタイムシフト録画番組中またはプラスワンタイムシフト録画番組中にないときは（ＳＴ１０４のＮ）、通常の予約録画が開始され、タイムシフト録画またはプラスワンタイムシフト録画も継続される（ＳＴ１１６）。タイムシフト録画またはプラスワンタイムシフト録画は、中断条件または終了条件が生じるまで続く（ＳＴ１１８のＮ）。
【００５１】
ここで、ＳＴ１１８の中断条件の例としては、ユーザがリモートコントローラ７２のクイックメニュー操作でタイムシフト録画の一時停止を指令した場合がある。不慮の停電も中断条件の例となる。ＳＴ１１８の終了条件の例としては、ループ録画モードでないときにタイムシフト録画用のＨＤＤの残り容量が０％になった場合がある。（ループ録画モードでは、使用ＨＤＤの容量を録画で使い切ると、録画時間の古いものから順にタイムシフト録画済番組が上書き消去されるため、タイムシフト録画用のＨＤＤの残り容量がなくなることはない。）タイムシフト録画が特定期間だけに設定されており、その特定期間を過ぎたときも、終了条件の例となる。
【００５２】
これから予約録画する番組が有料であり、かつ、その番組と同じイベントＩＤの予約がタイムシフト録画番組中またはプラスワンタイムシフト録画番組中にあるときは（ＳＴ１０４のＹ）、タイムシフト録画またはプラスワンタイムシフト録画は、予約開始時間になったら中断される（ＳＴ１０６）。この場合は通常の予約録画だけが実行される。
【００５３】
例えばプラスワンタイムシフト録画に対して上記の中断がなされた際には、図６に示すようなアラート画面６００が表示される。このアラート画面６００では、プラスワンタイムシフト録画が中断された番組についての番組予約情報６０２の他に、記録先の情報６０４が表示される。これら番組予約情報６０２、記録先情報６０４に加えて、コンテンツ情報がタイムシフトの番組情報として、例えば図１のメモリ６１３に格納される（ＳＴ１０６）。このコンテンツ情報には、同じコンテンツＩＤに基づく全ての情報が含まれる。この全ての情報としては、タイムシフト録画が中断された放送のチャネル番号、タイトル名など、種々な情報がある。図１のメモリ６１３には、装置４１に接続されている全てのＨＤＤの記録情報（録画した全番組のコンテンツ情報）を格納しておくことができる。
【００５４】
図１のメモリ６１３に格納されるタイムシフトの番組情報には、例えば図７に示すようなコンテンツ管理表の情報を含むことができる。このコンテンツ管理表では、番組毎にコンテンツ管理番号が付与されている。そして、コンテンツ管理番号が付与された個々の番組に対して、ステータス、録画の有無、アイコンの種類、番組名、番組情報（番組の概要説明）、電子番組表上で表示する際の背景色、番組区切り、備考欄などが設けられている。
【００５５】
図５のＳＴ１０６において予約重複によりタイムシフト録画が中断された番組が、例えば図７のコンテンツ管理番号６に対応しているとする。この管理番号６を参照することにより、タイムシフト録画が中断された該当番組は、重複番組であり、タイムシフト録画はなされず、過去番組表上のアイコンはタイムシフト不可アイコン（図示せず）であり、本来の番組名は表示せずに「重複番組」とされ、番組情報として「重複番組のため番組情報がない」旨が記録され、過去番組表上での背景色は新規な色とされ、番組区切りが不要であることが、わかる。
【００５６】
図５に戻る。有料放送の重複番組については、ＳＴ１０６においてタイムシフト録画（プラスワンタイムシフト録画）が中断されるが、通常の予約録画は実行される。この通常予約録画が終了すると（ＳＴ１０８のＹ）、録画した番組のコンテンツ情報が図１のメモリ６１３に格納される。通常予約録画の終了後、制御部６１は、メモリ６１３から記録先（ＨＤＤ９１、９２、または９４Ｄ）のコンテンツ情報をメモリ６１３から再取得し、それが正常に記録されているかどうかを確認する（ＳＴ１１０）。直前に録画が終了した番組のコンテンツ情報に必要な項目（録画先ＨＤＤ名、録画した番組の放送チャネル番号、番組名、録画開始の日時と録画時間など）が正常に記録されていれば、記録成功と判定する（ＳＴ１１２のＹ）。この場合は何もせずにＳＴ１１８へ移行する。コンテンツ情報に必要項目が正常記録されていなければ、記録失敗と判定し（ＳＴ１１２のＮ）、失敗した旨の情報を該当ＨＤＤの記録情報の一部としてメモリ６１３に保存する（ＳＴ１１４）。その後ＳＴ１１８へ移行する。
【００５７】
なお、ＳＴ１１２のＮで記録失敗となる原因の例としては、放送休止または悪天候などで放送電波の強度が下がりすぎたときがある。あるいは、受信契約していない有料放送番組を録画しようとしたときも記録失敗となる。
【００５８】
図８は、プラスワンタイムシフト録画番組（またはタイムシフト録画番組）の再生処理の一例を説明するフローチャートである。ここでは、図１のプラスワンタイムシフト録画用ＨＤＤ９４Ｃが選択されている場合の再生処理を説明する。
【００５９】
ユーザは、図１のリモートコントローラ７２のタイムシフトキーを押して、過去番組表を開く（ＳＴ２００）。すると、図９に例示されるような過去番組表が表示される。この過去番組表は、既に放送されてしまった番組のうち、タイムシフト録画（あるいはプラスワンタイムシフト録画）された番組群を、ＥＰＧと同様なユーザインターフェース（ルックアンドフィール）で表示したもので、ユーザは、通常のＥＰＧと同じ操作感覚で過去番組表を操作できる。
【００６０】
図９の例示において、上段の横行は、タイムシフト録画用に設定されたＢＳデジタル放送のチャネルを示す（ここでは７チャネル分例示しているが、プラスワンタイムシフト録画用としてＢＳ放送チャネルが１つだけの場合もある）。図９の例示において、左側の縦列は、タイムシフト録画で録画された時間帯を示す。なお、図９では示していないが、図５のＳＴ１１４で失敗情報が保存された番組の過去番組表該当箇所について、黒塗り表示とし、および／または図示しない失敗マークのアイコンを付けて、その番組が再生できないことをユーザに通知するようにしてもよい。
【００６１】
ユーザは、リモートコントローラ７２のカーソルキー操作により、過去番組表から、再生したい番組を選択する（ＳＴ２０２）。カーソルにより選択されている番組については、図１のメモリ６１３から読み出したコンテンツ情報に基づいて、該当番組の内容をポップアップウインドウに表示できる。その番組の番組名を、過去番組表の下段に同時表示してもよい。ここでリモートコントローラ７２の決定キーを押すと、該当番組の選択が決定される（ＳＴ２０４のＹ）。
【００６２】
図１の制御部６１は、過去番組表上で選択決定された番組が実際に該当ＨＤＤ（例えば９４Ｃ）に記録されているかどうか確認する。選択決定された番組が実際に該当ＨＤＤ（例えば９４Ｃ）に記録されておれば（ＳＴ２０６のＹ）、その番組（過去番組表から選択した番組）のコンテンツを再生する（ＳＴ２０８）。
【００６３】
選択が決定された番組が該当ＨＤＤ（例えば９４Ｃ）に記録されていないときは（ＳＴ２０６のＮ）、記録されていない原因をチェックする。タイムシフト録画の予約失敗が原因であれば（ＳＴ２１０のＹ）、予約録画がなされていない理由を含むアラートを表示する（ＳＴ２１２）。なお、図９では図示していないが、過去番組表上で、予約が失敗した番組にカーソルがあたっているときは、ＳＴ２１２と同様な内容の文言を過去番組表の下段スペースに表示してもよい。
【００６４】
ＳＴ２０４で選択決定された番組がタイムシフト録画用のＨＤＤ（例えば９４Ｃ）にはないが、その番組の予約が失敗しているわけではない場合は（ＳＴ２１０のＮ）、別のＨＤＤ（例えば９１）にその番組が保存されていることがある。例えば、ＳＴ２０４で選択決定されたコピーワンスの番組がタイムシフト録画用のＨＤＤ（例えば９４Ｃ）から別のＨＤＤ（例えば９１）にムーブされていることがある。この場合は、ＳＴ２０４で選択決定された番組の記録先（例えばＨＤＤ９１）のコンテンツＩＤを参照して、再生することができる（ＳＴ２１４）。すなわち、過去番組表にあったタイムシフト録画番組（プラスワンタイムシフト録画番組）が通常録画用ＨＤＤ（例えばＨＤＤ９１）にムーブされていても、その番組再生操作を、過去番組表から行うことができる。
【００６５】
換言すると、過去番組表にあったタイムシフト録画番組のうち、通常録画記録領域にムーブした番組については、通常録画番組を管理する録画リストと過去番組表との間で、リンクを張ることができる。このリンク関係は、図１０の（ａ）、（ｂ）に示すように、録画リストへムーブされた番組に、過去番組表のアイコンを、リンクマークとして付与することで、ユーザに表示できる。リンクが張られた過去番組表上の番組については、その背景を所定の色または所定のパターンとして、リンクなしの番組と区別し易いように構成できる。
【００６６】
図１０（ａ）の例では、過去番組表は、図１のＨＤＤ９４Ａ、９４Ｂ、９４Ｃそれぞれに対して用意されている。ＨＤＤ９４Ａがリモートコントローラ７２の緑キーに対応しているときは、ＨＤＤ９４Ａ用の過去番組表の背景を緑にできる。ＨＤＤ９４Ｂがリモートコントローラ７２の赤キーに対応しているときは、ＨＤＤ９４Ｂ用の過去番組表の背景を赤にできる。ＨＤＤ９４Ｃがリモートコントローラ７２の黄キーに対応しているときは、ＨＤＤ９４Ｃ用の過去番組表の背景を黄にできる。現在表示中の番組表が別のＨＤＤ（例えば９４Ｄ）に記録されたタイムシフト録画番組に対応しており、その別ＨＤＤがリモートコントローラ７２の青キーに対応しているときは、その別ＨＤＤ用の番組表の背景を青にできる。
【００６７】
図１０（ｂ）の録画リスト中のリンクマーク付き番組１０００がカーソル選択されると、録画リストの左スペースのサムネール画像の下に、番組１０００の番組情報が表示される。また、リモートコントローラ７２の番組説明キー（図示せず）を押すと、図１０（ｃ）に例示するような、カーソル選択されている番組１０００の説明画面を表示することができる。
【００６８】
番組１０００は、リンクが張られた過去番組表（図１０（ａ））から再生できるだけでなく、図１０（ｂ）の録画リストにおいて番組１０００をカーソル選択してからリモートコントローラ７２の決定をおすことでも、再生できる。
【００６９】
なお、タイムシフト録画済みまたはプラスワンタイムシフト録画済みの番組の一部がタイムシフト録画用ＨＤＤまたはプラスワンタイムシフト録画用ＨＤＤから削除（消去）された場合、あるいはそれらのＨＤＤの登録が解除された場合は、その削除番組あるいは登録解除されたＨＤＤに記録された全ての番組は、全て過去番組表から削除される（ＨＤＤの登録については図２を参照して説明済み）。消去されていない番組については、その番組にカーソルをあてることにより、その番組の詳細情報とともに記録先ＨＤＤを表示することができる(図９の過去番組表の「猫が転んだ」という番組例示を参照）。
【００７０】
また、例えば図１０（ｂ）の録画リスト中の番組１０００とリンクした番組が過去番組表中に存在したが、録画リストからそのリンク番組１０００が消去された場合（その番組１０００のコンテンツが通常録画記録領域から消去された場合）は、その消去された番組は過去番組表から削除される。
【００７１】
図１１は、プラスワンタイムシフト録画番組（またはタイムシフト録画番組）を通常録画領域にダビング（コピーまたはムーブ）する処理の一例を説明するフローチャートである。タイムシフト録画された番組は、放置するといずれは消去されてしまうので、保存しておきたい未保存番組については、保存処理を行うことになる。
【００７２】
ユーザは、図１のリモートコントローラ７２のタイムシフトキーを押して、過去番組表を開く（ＳＴ３００）。すると、図９に例示されるような過去番組表が表示される。通常録画用ＨＤＤへ保存済みの過去番組の番組名冒頭には、保存済みを示すアイコン（図示せず）が付され、および／または、その番組枠の背景が保存済みを示す色またはパターンに変更されている。そこで、過去番組のうち、未保存の番組を、リモートコントローラ７２のカーソル操作で選択する（ＳＴ３０２）。保存したい番組が見つかったら、リモートコントローラ７２の決定キーを押して（ＳＴ３０４のＹ）、保存処理に移る。
【００７３】
図１の制御部６１は、決定キーにより選択が確定した過去番組のコピー管理状態をチェックする（ＳＴ３０６）。このチェックは、メモリ６１３に格納されたコンテンツ情報を参照して行うことができる。該当番組が例えば有料放送のコピーワンス番組であれば、その番組を記録先ＨＤＤ（例えばＨＤＤ９１）に保存する（この保存後の番組はムーブしかできなくなっている）。そして、番組予約情報の他に保存後の記録先（例えばＨＤＤ９１）とコンテンツ情報を、タイムシフト録画の番組情報として、メモリ６１３に格納する。ここでのコンテンツ情報は、コンテンツＩＤに基づく全ての情報（放送チャネルの番号、番組のタイトル名、その他）を含んでいる。この格納が済むと、過去番組表の該当番組枠に、保存済みのマーク（例えば白色）を表示する（ＳＴ３１０）。
【００７４】
該当番組が例えば無料放送のダビング１０対応番組であれば、１回分のコピーが可能な再生コンテンツをタイムシフト録画用ＨＤＤ（例えば９４Ｃ）に残し、残りのコピー回数分（例えば８回分）を維持した番組コンテンツを、通常録画用ＨＤＤ（例えば９１）の録画領域にコピーする（ＳＴ３１４）。この格納が済むと、過去番組表の該当番組枠（その時点でコピーワンスになっている）に、保存済みのマーク（例えば赤色）を表示する（ＳＴ３１４）。
【００７５】
該当番組が例えばコピーフリーの番組であれば、過去番組表の記録領域（例えばＨＤＤ９４Ｃ）に番組データをそっくり残したまま、その番組コンテンツを通常録画用ＨＤＤ（例えば９１）の録画領域にコピーする（ＳＴ３１６）。コピーされた番組は、コピーフリーの状態を維持する。
【００７６】
上記した説明において、「プラスワンタイムシフト」という用語は、別の類似用語、例えば「タイムシフトプラス１」あるいは「タイムシフト＋１」という用語と置換されてもよい。また、用語の「手段」は、「装置」、「器」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【００７７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015045006.tif 000003
【図２】
2015045006.tif 000004
【図３】
2015045006.tif 000005
【図４】
2015045006.tif 000006
【図５】
2015045006.tif 000007
【図６】
2015045006.tif 000008
【図７】
2015045006.tif 000009
【図８】
2015045006.tif 000010
【図９】
2015045006.tif 000011
【図１０】
2015045006.tif 000012
【図１１】
2015045006.tif 000013
【国際調査報告】
2015045006.tif 000014
2015045006.tif 000015
2015045006.tif 000016
2015045006.tif 000017